(57)【要約】      （修正有）【課題】サッカーの練習では１０〜２０個以上のボールが必要となるが、直接地面（コート）に置くため、転がりやすく拡散しやすい。ボールの拡散防止のために、地面および床の一定範囲を囲って、当該範囲にボールを保持することで、設置・移動が簡単で、ボールの出し入れが容易な、折り畳み式のボール囲い具を提供する。【解決手段】複数の板状のプレート１０１を結合した、人が容易にボールを出せる高さの囲い部材１１で、地面あるいは床の一定範囲を囲う。各プレートを帯状に結合枢結して、連結した最後のプレートに、ハトメ金具２０１の径に合せた逆Ｕ字形に欠設した部分Ｕを設ける。使用時には、最初のプレートの最端のハトメ金具を、最後のプレート１０２の欠設部分に碇止させ、プレートを環状に配置してボールを囲う。収納時には、碇止を解いて折り畳む。【選択図】図１
0003175845.tif 000002
【実用新案登録請求の範囲】
【請求項１】
ボールを止めるには十分でありかつ人が容易にボールを出せる高さの囲い部材で、地面あるいは床を囲うことにより、囲んだ範囲にボールを保持するボール囲い具であって、
前記囲い部材が複数の板状のプレートを結合して構成され、前記プレートを重ねる状態にて折畳収納可能であり、
使用時には、ボールを保持しようとする地面あるいは床を囲むように、環状に配置することで、地面あるいは床にボールを保持することを特徴とするボール囲い具。
【請求項２】
地面あるいは床を円形状に囲む、請求項１記載のボール囲い具。
【請求項３】
各プレートの下部（底辺）を曲線状にすることによりプレート全体を内側に傾斜させた、請求項２記載のボール囲い具。
【請求項４】
各プレートをハトメ金具で結合枢結した、請求項１〜３の何れか１項記載のボール囲い具。
【請求項５】
各プレートを帯状に結合枢結して、連結した最後のプレートに、最初のプレートのハトメ金具が碇止可能となるように、該ハトメ金具の径に合せた逆Ｕ字形に欠設した部分を設け、
使用時には、前記ハトメ金具を欠設部分に碇止させ、
収納時には、前記ハトメ金具を外すことで、全プレートがハトメ金具の位置を揃えて重ねて折畳収納できる、請求項４記載のボール囲い具。
【請求項６】
使用時に環状に配置されたプレートの形状を固定するストッパ部材を具備した、請求項１〜５の何れか１項記載のボール囲い具。
【考案の詳細な説明】
【技術分野】
【０００１】
本考案は、練習などで使用するボールが拡散しないように、地面および床を囲って、囲んだ範囲にボールを保持するボール囲い具に関するものである。
【背景技術】
【０００２】
サッカーの練習では１０〜２０個以上のボールが必要となるが、直接地面（コート）に置くため、転がりやすく拡散しやすい。練習の効果を上げるためにはボールの拡散を防止する必要があるため、従来は網や籠を使用していた。
このような網や籠は、ボールを収納する収納具を練習場所に移動して用いるなど、ボールの拡散防止のための器具ではなく、特に地面および床の一定範囲を囲って当該範囲にボールを保持する、折り畳み式のボール囲い具に関するもの考案されていない。
【０００３】
尚、折り畳み式のボール保持用具としては、例えば、特許文献１に籠状のものが開示されている。
【特許文献１】特開２００２−１１９６１９号公報
【考案の概要】
【考案が解決しようとする課題】
【０００４】
特許文献１などのように従来の籠状の収納具は、コンパクトな折り畳み式であっても、大きくて重いため、練習中の移動が困難であった。さらには、ボールの出し入れも不便であるため、練習中あるいは試合中の状況に応じて、ボールが拡散しないように、必要に応じて位置を変えながら所望の場所にボールを保持させるには不便であった。
【０００５】
また、屋外で行う競技、特にサッカーのように雨天でも練習や試合が行われる競技においては、雨や風、グランドの状態により、収納具を兼ねた籠状器具の使用が不適切な場合もあった。
【０００６】
そこで、本考案は、以上の課題を解決すべく、軽く、小さく、持ち運び、および、ボールの出し入れが容易であり、屋外での自然状況に影響されない、折り畳み式ボール囲い具を提供することを目的とした。
【課題を解決するための手段】
【０００７】
上記の目的を達成するために、本考案の折り畳み式ボール囲い具を以下のように構成した。
【０００８】
１．ボールを止めるには十分でありかつ人が容易にボールを出せる高さの囲い部材で、地面あるいは床を囲うことにより、囲った範囲にボールを保持する。
囲い部材は複数の板状のプレートを結合して構成され、プレートを重ねる状態にて折畳収納可能に構成する。
使用時には、ボールを保持しようとする地面あるいは床を囲むように、環状に配置することで、地面あるいは床の一定範囲にボールを保持する。
【０００９】
このように構成することにより、地面あるいは床の一定範囲を囲うことでボールを保持するため、籠形状のものに比べて、非常にコンパクトに構成できる。また、人が容易にボールを出せる高さの囲い部材であるため、ボールの出し入れもスムーズになる。
さらに、囲い部材が複数の板状のプレートを結合して構成されているため、各プレートを重ねる状態にて折畳収納可能であり、ボール収納具と別に倉庫に保管しても殆ど邪魔にならない。
尚、ボールを出すとは、手を使ってボールを取る場合だけでなく、例えば、サッカーのように、足の使用が中心の競技では、足を使って蹴り出す場合も当然含まれる。
【００１０】
２．地面あるいは床を円形状に囲むように構成する。
さらに、プレートの下部（底辺）を、例えば円孤状の曲線にすることによりプレート全体を内側に傾斜させるように構成する。
【００１１】
このように円形状に囲むことで、ボール囲み具の全長に対して、ボールを保持する範囲を最大にすることができる。すなわち、一定数のボールを保持するための囲み具のプレートの全長が最小になるため、最もコンパクトに構成できる。
また、サッカーの練習では、円環状に囲うとボールの取り出しがスムーズになり、練習の効率が向上する。
さらに、プレート全体を内側に傾斜させることにより、確実にボールを保持することができる。
【００１２】
３．各プレートをハトメ金具で結合枢結して囲い部材を形成する。
また、帯状に連結した最後のプレートに、最初のプレートのハトメ金具が碇止可能となるように、ハトメ金具の径に合せた逆Ｕ字形に欠設した部分を設ける。
【００１３】
このように構成することにより、使用時には、最初のプレートのハトメ金具を、最後のプレートの欠設部分に碇止させることができる。また、収納時には、これを外して折り畳むことができる。そのため、囲いの組立・解体が容易に行える。
【００１４】
４．使用時に環状に配置されたプレートの形状を固定するためのストッパ部材を付加する。
【００１５】
このように構成することにより、使用時に環状の囲み形状を確実に保持することができる。
【考案の効果】
【００１６】
地面あるいは床を囲うことでボールを保持するため、籠形状のものに比べて、非常にコンパクトに構成できる。また、人が容易にボールを出せる高さの囲い部材であるため、ボールの出し入れもスムーズになる。
特に、サッカーではフィールドプレーヤーは足を使ってボールを処理するが、ボールを軽く蹴り出すだけで必要な時にボールを取り出すことができる。
このため、練習の効率を大きく向上させることができる。
【００１７】
ボール収納具と別に倉庫に保管しても殆ど邪魔にならない。また、複数個用意する負担も小さく、練習状に複数設置することも容易にできる。
さらに、円形状に囲みプレート全体を内側に傾斜させることにより、確実にボールを保持できるため、予期せぬボールの拡散を防ぐことができる。
また、使用時にはハトメ金具を欠設部分に碇止させ、収納時にはこれを外すことで、組立・解体が容易に行えるため、設置あるいは移動に時間を要せず、練習の邪魔にならない。
【００１８】
ストッパ部材を付加したものでは、環状の囲み形状を確実に保持できるため、ボールが当たる等の衝撃が多少あっても形を崩す心配がない。
【図面の簡単な説明】
【００１９】
【図１】実施例１のボール囲み具の平面図及び斜視図である。
【図２】囲み部材を構成するプレートの平面図である。
【図３】実施例２のボール囲み具の平面図及び斜視図である。
【符号の説明】
【００２０】
１      ボール囲い具
２      ボール囲い具
１１    囲い部材
１０１  プレート
１０２  逆Ｕ字欠設を設けたプレート
２０１  ハトメ金具
２０２  ストッパ部材
Ｈ      ハトメ金具で結合枢結させるためのプレート孔
Ｕ      ハトメ金具を碇止させるための逆Ｕ字形欠設
Ｃ      円孤線
【考案を実施するための形態】
【００２１】
以下に本考案に係る、折り畳み式ボール囲い具の実施形態を示す。
【実施例１】
【００２２】
図１には、実施例１の折り畳み式ボール囲い具１を示す。
この折り畳み式ボール囲い具１は、６枚のプレートをハトメ金具で、帯状に結合枢結して、囲み部材１１を構成している。折り畳み式ボール囲い具１は、この囲み部材１１だけでも構成できるが、さらに必要なら、フックなどのアクセサリー類を囲み部材１１に付加して構成する。
折り畳んで収納する場合、図１（ａ）のように、ハトメ金具を軸にしてプレートを反転させて、各プレートが重ね合うように、囲み部材１１を折り畳む。
図１（ａ）では、分かりやすく示すために、少しプレートをずらして図示しているが、収納時は完全に重ねて収納できる。
【００２３】
使用する場合は、図１（ｂ）のように、最端のプレート１０１のハトメ金具２０１を、プレート１０２の逆Ｕ字形欠設部分に碇止させ、地面あるいは床を円形状に囲い、この囲いの中に、例えばサッカーボールを保持する。
【００２４】
囲いの高さ、すなわち、プレートの幅は、ボールを止めるには十分でありかつ人が容易にボールを出せる高さに設定する。
例えば、サッカーボールなら、５〜１５センチ、好ましくは７〜１０センチ程度が適している。この程度の高さなら、ボールを止めるには十分であり、容易に足で蹴り出すことができる。また、収納場所も小さくできる。
テニスボールなら５センチ程度でも十分であるが、あまり低いとプレートが細くなるため、扱いにくくなる。テニスはラケットでボールを扱う（上級者はラケットでボールを拾う）ため、ボールに比べて囲いの高さが多少高めでも問題はない。
このように、競技ごとにボールの大きさや使い勝手を考慮して囲いの高さを適宜決定する。
【００２５】
図２は、上記実施例で用いたプレートを示す。
図２（ａ）のように、帯状に連結した最後のプレート以外は、プレート１０１を用いている。
プレート１０１には、プレートの両端に二箇所、ハトメ金具で結合枢結するためのプレート孔Ｈが設けられている。
プレート１０１の下部（底辺）、すなわち地面あるいは床に接する部分は、適当な曲率の円孤Ｃに形成している。このようにすると、環状に囲んだ際に、プレートが若干内向きに傾斜するため、確実にボールを保持することができる。
尚、円孤の曲率を変えることで、傾斜を可変できる（曲率を大きくすると傾斜は大きくなる）。
【００２６】
連結した最後のプレート以外は、図２（ｂ）のように、プレート１０２を用いている。
プレート１０２には、プレートの両端に、ハトメ金具で結合枢結させるためのプレート孔Ｈと、ハトメ金具を碇止させるための逆Ｕ字形欠設Ｕが設けられている。
プレート１０２の下部（底辺）も、プレート１０１と同様に適当な曲率の円孤Ｃとなっている。
【００２７】
尚、プレートは、ポリプロピレンのシートが形性の点から好ましい。
【実施例２】
【００２８】
図３には、実施例２の折り畳み式ボール囲い具２を示す。
この折り畳み式ボール囲い具２は、上述した囲み部材１１に、使用時に環状の囲み形状を確実に保持するために、ストッパ部材２０２を付加して構成している。
【００２９】
ストッパ部材２０２は、例えば、板状のものをプレートに巻いて両端を接着固定するなどして、簡単に形成できる。
【００３０】
ストッパ部材２０２の幅は、左右にスライドできるように、プレート幅より若干余裕を持たせて形成する。
【００３１】
折り畳んで収納する場合、図３（ａ）のように、各ストッパ部材２０２は各プレートの結合部分からプレートの中央方向にずらして配置させる。
【００３２】
尚、上記のように、プレートの下部が円孤状に湾曲している場合は、ストッパ部材２０２の幅をプレートの最も幅広な部分より小さくすることで、プレートの膨らんだ中央寄りの位置でスライドを止めることができる。
【００３３】
使用する場合は、図３（ｂ）のように、ストッパ部材２０２を各プレートの結合部分に配置する。このようにすれば、少々の衝撃で形状を崩す心配がない。
【００３４】
尚、本考案は上記の実施例に限られるものではない。
上記実施例では円形状に囲んでいるが、どのような形状で囲っても構わない。例えば、正多角形あるいは長方形に囲う形状でも良い。
また、上記実施例ではプレートをハトメ金具で結合しているが、プレートを結合できる方法なら他の方法でもよい。例えば、蝶番を用いることもできる。この場合、各プレートの長さが同じなら、囲う形状は正多角形になる。
プレート１０１及び１０２の下部は、傾斜を付けないで設置する場合は直線状でもよい。また、地面に接している部分を小さくするために波状に形成しても良い。
プレートの材料は、実施例のように円形状に囲う場合は、ポリプロピレンのように柔軟性のある軽量な材料が望ましいが、これに限られるものではない。
【図１】
0003175845.tif 000003
【図２】
0003175845.tif 000004
【図３】
0003175845.tif 000005